(57)【要約】【課題】パラシュートの落下事故での死亡者を削減する。【解決手段】パラシュートを付けた人の前面、後面にある程度の大きさのフックをかける枠とそれにかけるフックをつける。また、フックをかけた後に被救護者のパラシュートを切り離せるようにして重さの軽減をし、二人、又はそれ以上の重量が軽減するようにする。ある程度とは、緊急時に手でつかみ救出作業に支障をきたさない程度である。【選択図】  図１
0003103358.tif 000002
【実用新案登録請求の範囲】
【請求項１】
パラシュートを付けた人の前面、後面にある程度の大きさのフックをかける枠とそれにかけるフックをつけたパラシュート。
【請求項２】
フックをかけた後に被救護者のパラシュートを切り離せるようにして重さの軽減をし、フックをかけた後の二人、又はそれ以上の重量が軽減するようにしたパラシュート。
【請求項３】
フックをかけた後、バランスの安定を図るため、取り付けてある枠の形状に三角形を利用したパラシュート。
【請求項４】
その枠の数、フックの数を増やしたパラシュート
【考案の詳細な説明】
【０００１】
【考案の属する技術分野】
本考案は、パラシュートを付けた人の前面、後面にある程度の大きさのフックをかける枠とそれにかけるフックをつけ、落下事故の際、フックをかけた後に被救護者のパラシュートを切り離せるようにして重さの軽減をし、フックをかけた後の二人、又はそれ以上の重量が軽減する事で人命救助を容易にするものである。
【０００２】
【従来の技術】
従来、パラシュートの予備が付いていたが、それさえも開かずに落下事故となることがまれに起こっていた。パラシュートのインストラクターが生徒などと一緒に降下するときに括りつけておいたりする物は存在したが、そのような物が使えずに落下事故となることがまれに起こっていた。
【０００３】
【考案が解決しようとする課題】
従来、パラシュートの予備などが付いていたが、それさえも使えずに落下事故となる事態に対処する。
【０００４】
【課題を解決するための手段】
上記の問題を解決するために、パラシュートを付けた人の前面、後面にある程度の大きさのフックをかける枠とそれにかけるフックをつける。フックをかけた後に被救護者のパラシュートを切り離せるようにして重さの軽減をし、フックをかけた後の二人、又はそれ以上の重量が軽減するようにする。
【０００５】
【考案の実施の形態】
本発明は、落下事故での死亡者の削減を可能にしたパラシュートで、それを図面について説明すれば、パラシュートを付けた人の前後面に枠３を付ける為に、ベルト２又は必要に応じてそのほかのベルトに枠３を付け、被救護者のそれにかけるフック４をベルト２又は必要に応じてそのほかのベルトに付け、パラシュート収納部１とベルト２又は必要に応じてそのほかのベルトの間に切り離し装置５を取り付けたものである。
フックと切り離し装置については、登山で使うものやベルトの接合に使うものなどを利用する。又、救護時に余裕がある時に使えるように救護者と被救護者を繋ぐベルトや装置などをさらに細かく付けるとさらに救護時の危険性が減少する。
【考案の効果】
パラシュートを付けていたのに落下事故となっていた事態が、二人以上で降下し、パラシュートを開く高度に余裕をもたせれば、パラシュートが開かないなどの急を要する事態が起こった人を助けることが容易になり、人命救助に貢献する。
【図面の簡単な説明】
【図１】パラシュート各部のおおよその位置関係図である。
【符号の説明】
１パラシュート収納部
２ベルト
３枠
４フック
５切り離し装置
【図１】
0003103358.tif 000003
【手続補正書】
【提出日】平成15年10月10日(2003.10.10)
【手続補正１】
【補正対象書類名】明細書
【補正対象項目名】実用新案登録請求の範囲
【補正方法】変更
【補正の内容】
【実用新案登録請求の範囲】
【請求項１】
パラシュートを付けた人の前面、後面のベルトにある程度の大きさのフックをかける枠とそれにかけるフックをつけたパラシュート。
【請求項２】
フックをかけた後、二人、又はそれ以上の重量さの軽減をするためにフックをかけた後、ベルトで連結された被救護者のパラシュート収納部分をベルトから切り離せるようにした、たとえば自動車のシートベルトがその機能を果たしている。
そのようなベルトに連結され切り離し可能であるパラシュート収納部を備えることを特徴とする請求項１記載のパラシュート。
【請求項３】
フックをかけた後、バランスの安定を図るため、取り付けてある枠の形状には、枠にフックをかけた時、その角がある位置にフックが移動していく事により証明される物理現象、たとえば、三角形や円の枠にフックをかけた場合に確認できる。を利用した、角、又は弧を持つ形状、たとえば、図１に示される。を利用した請求項１記載のパラシュート。
【手続補正書】
【提出日】平成16年1月5日(2004.1.5)
【手続補正１】
【補正対象書類名】明細書
【補正対象項目名】実用新案登録請求の範囲
【補正方法】変更
【補正の内容】
【実用新案登録請求の範囲】
【請求項１】
パラシュートを付けた人の前面、後面のベルトにある程度の大きさのフックをかける枠と
それにかけるフックをつけたパラシュート。
【請求項２】
フックをかけた後、ベルトで連結された被救護者のパラシュート収納部分をベルトから切
り離せるようにしたことを特徴とする請求項１記載のパラシュート。
【請求項３】
取り付けてある枠の形状には、枠にフックをかけた時、その角の部分にフックが移動していくように、【考案の詳細な説明】【００４】【課題を解決するための手段】（２）で説明される形状をしていることを特徴とする請求項１記載のパラシュート。
【手続補正２】
【補正対象書類名】明細書
【補正対象項目名】考案の詳細な説明
【補正方法】変更
【補正の内容】
【考案の詳細な説明】
【０００１】
【考案の属する技術分野】
本考案は、パラシュートを付けた人の前面、後面にある程度の大きさのフックをかける枠
とそれにかけるフックを取り付け、落下事故の際、救護者が被救護者の枠にフックを短時
間でかけ、着地まで余裕があるようであればフックをかけた後に被救護者のパラシュート
を切り離して重さの軽減をし、フックをかけた後の二人、又はそれ以上の重量が軽減する
事で人命救助を容易にするものである。
【０００２】
【従来の技術】
従来、パラシュートの予備が付いていたが、それさえも開かずに落下事故となる事がまれ
に発生していた。パラシュートのインストラクター等が生徒などと一緒に降下するときに
括りつけておいたりする物は存在したが、そのような物が使えずに落下事故となることが
まれに起こっていた。
【０００３】
【考案が解決しようとする課題】
従来、パラシュートの予備等が付いていたが、それさえも使用できずに落下事故となる事
態に対処する。
【０００４】
【課題を解決するための手段】
（１）  上記の問題を解決するために、パラシュートを付けた人の装着部の前面、後面に
ある程度の大きさのフックをかける枠と救護の際に被救護者のその枠にかけるためのフッ
クを取り付ける。
（２）  救護の際に被救護者のその枠にフックをかけた後、バランスの安定を図るため、
取り付けてある枠の形状には、枠にフックをかけた時、その角がある位置にフックが移動
していく事により証明される物理現象、たとえば、三角形や円の枠にフックをかけた場合
に確認できる。を利用した、角、又は弧を持つ形状、たとえば、図１と図２に３で示され
る。を利用する。
（３）  救護の際に被救護者のパラシュートの枠に、即ちパラシュート収納部を取り付け
てあるベルトに取り付けてある枠にフックを掛けた後、二人、又はそれ以上の重量の軽減
をするためにフックを掛けた後に、ベルトで連結された被救護者のパラシュート収納部分
を切り離せるようにして、たとえば自動車のシートベルトがその機能を持つ。フックを掛
けた後の二人、又はそれ以上の重量が軽減するようにする。
【０００５】
【考案の実施の形態】
本発明は、パラシュート落下事故での死亡者の削減を可能にしたパラシュートで、それを
図面について説明すれば、パラシュートを付けた人の前後面に、救護の際にフックを掛け
る枠として、ベルト２又は必要に応じてその他のベルトに枠３を付け、被救護者のその枠
にかけるフック４をベルト２又は必要に応じてその他のベルトに付け、パラシュート収納
部１とベルト２又は必要に応じてそのほかのベルトの間に切り離し装置５を取り付けたも
のである。フックについては、登山で使う物等、切り離し装置については、自動車のシー
トベルトの接合に使うもの等を利用する。又、救護時にフックをかけた後に余裕がある時
に使えるように救護者と被救護者を繋ぐベルトや装置などをさらに細かく付けるとさらに
救護時の危険性が減少する。


【手続補正３】
【補正対象書類名】明細書
【補正対象項目名】図面の簡単な説明
【補正方法】変更
【補正の内容】
【図１】装着部分の前面の図である。
【図２】装着部分を上から見た図である。
【図３】パラシュート収納部を上から見た図である。
【図４】パラシュート収納部の側面図である。
【符号の説明】
１  パラシュート収納部
２  装着部のベルト
３  枠
４  フック
５  切り離し装置


【手続補正４】
【補正対象書類名】図面
【補正対象項目名】全図
【補正方法】変更
【補正の内容】
【図１】
0003103358.tif 000004
【図２】
0003103358.tif 000005
【図３】
0003103358.tif 000006
【図４】
0003103358.tif 000007
【手続補正書】
【提出日】平成16年3月18日(2004.3.18)
【手続補正１】
【補正対象書類名】明細書
【補正対象項目名】請求項３
【補正方法】変更
【補正の内容】
【請求項３】
取り付けてある枠の形状として、四角形の枠を使用すると枠にフックを掛けた時、上の角
の左右どちらかにフックが滑っていく事になるが、左右どちらに最終的に位置しても、被
救護者が傾いてしまう事になるので、救護時、被救護者の傾きを少なくするために、角、
又は弧を持つ形状をした枠にフックのような形状の物を掛けた時に、その上部の角、又は
弧の部分にフックが移動していく事で救護時の安定が増す事を考慮された形状をしている
事を特徴とする請求項１記載のパラシュート。